(57)【要約】【課題】着用感を損なうことなしに、立体形状を安定的に維持することのできるマスクを提供する。【解決手段】マスク本体１１０と、マスク本体１１０によって支持されるフィルターシートと、マスク本体１１０に取り付けられた耳掛け紐１３０と、を有するマスクにおいて、マスク本体１１０を、一枚のシート材を折り曲げて成り、中央に上下方向に延びる折り線１１１ａを備えた正面視矩形の口被覆部１１１と、口被覆部１１１の上端縁から延出し、口被覆部１１１の背面側に折り返された第１折り返し部と、前記第１折り返し部の下端から延出し、口被覆部１１１より上方に突出する正面視三角形の鼻被覆部１１２と、口被覆部１１１の下端縁から延出し、口被覆部１１１の背面側に折り返された第２折り返し部と、前記第２折り返し部の上端から延出し、口被覆部１１１より下方に突出する正面視三角形の顎被覆部１１３と、を備えたものとする。【選択図】図１
0003233659.tif 000002
【実用新案登録請求の範囲】
【請求項１】
a)シート材を折り曲げて成る支持体であって、
a1)上辺、下辺、左辺、及び右辺を有し、左右方向の中央に上下方向に延びる折り線を備えた口被覆部と、
a2)前記口被覆部の前記上辺から延出し、該口被覆部の背面側に折り返された第１折り返し部と、
a3)前記第１折り返し部の下端から延出し、前記口被覆部より上方に突出する正面視三角形の鼻被覆部と、
a4)前記口被覆部の前記下辺から延出し、該口被覆部の背面側に折り返された第２折り返し部と、
a5)前記第２折り返し部の上端から延出し、前記口被覆部より下方に突出する正面視三角形の顎被覆部と、
を備えるマスク本体と、
b)少なくとも前記口被覆部の背面を覆い、その一部が、前記口被覆部と前記第１折り返し部との間及び前記口被覆部と前記第２折り返し部との間に挟持されるフィルターシートと、
c)前記口被覆部の左右両側に取り付けられた一対の耳掛け紐と、
を有するマスク。
【請求項２】
a)シート材を折り曲げて成る支持体であって、
a1)上辺、下辺、左辺、及び右辺を有し、左右方向の中央に上下方向に延びる折り線を備えた口被覆部と、
a2)前記口被覆部の前記上辺から延出し、該口被覆部の背面側に折り返された第１折り返し部と、
a3)前記第１折り返し部の下端から延出し、前記口被覆部より上方に突出する正面視三角形の鼻被覆部と、
a4)前記口被覆部の前記下辺から延出し、該口被覆部の背面側に折り返された第２折り返し部と、
a5)前記第２折り返し部の上端から延出し、前記口被覆部より下方に突出する正面視三角形の顎被覆部と、
を備えるマスク本体と、
b)前記口被覆部の左右両側に取り付けられた一対の耳掛け紐と、
を有するマスク。
【請求項３】
a)シート材を折り曲げて成る支持体であって、
a1)上辺、下辺、左辺、及び右辺を有し、左右方向の中央に上下方向に延びる折り線を備えた口被覆部と、
a2)前記口被覆部の前記上辺から延出し、該口被覆部の背面側に折り返された第１折り返し部と、
a3)前記第１折り返し部の下端から延出し、前記口被覆部より上方に突出する正面視三角形の鼻被覆部と、
a4)前記口被覆部の前記下辺から延出し、該口被覆部の背面側に折り返された第２折り返し部と、
a5)前記第２折り返し部の上端から延出し、該口被覆部より下方に突出する正面視三角形の顎被覆部と、
を備えるマスク本体と、
b)前記マスク本体によって支持されるマスク体であって、
b1)正面視矩形であって、その上端部が前記口被覆部と前記第１折り返し部との間に挟持され、その下端部が前記口被覆部と前記第２折り返し部との間に挟持されるフィルター部と、
b2)前記フィルター部に取り付けられ、前記口被覆部の左右側方に突出する一対の耳掛け紐と、
を備えるマスク体と、
を有するマスク。
【請求項４】
更に、
前記第１折り返し部の左右両端の下部に設けられた第１係止具と、
前記口被覆部の背面の前記第１係止具と対向する位置に設けられ、前記第１係止具と係合する第２係止具と、
前記第２折り返し部の左右両端の上部に設けられた第３の係止具と、
前記口被覆部の背面の前記第３の係止具と対向する位置に設けられ、前記第３の係止具と係合する第４の係止具と、
を有する請求項３に記載のマスク。
【請求項５】
前記マスク本体に通気孔が設けられている請求項１〜４のいずれかに記載のマスク。
【請求項６】
前記口被覆部が、前記左辺及び前記右辺から該口被覆部の左右方向の中央に向かって形成された少なくとも一対の切込みを有し、前記一対の切込みを挟んで上側の領域の下端と、下側の領域の上端とが、少なくとも前記口被覆部の左右方向の両端部において互いに重ね合わされた状態で、該両端部において互いに固定されている請求項１〜４のいずれかに記載のマスク。
【請求項７】
前記口被覆部が、前記第１折り返し部に隣接する第１領域と、前記第１領域の下端から延出し、該第１領域の背面側に折り返された第２領域と、前記第２領域の上端から延出し、前記第１領域よりも下方に突出する第３領域と、
を有し、
前記第２領域と前記第３領域との境界線に沿って、該境界線よりも短い少なくとも１本の切り込みが設けられている請求項１〜４のいずれかに記載のマスク。
【請求項８】
請求項１に記載のマスクを作成するためのキットであって、
前記フィルターシートと、
前記シート材と、
該シート材の折り方を記載した説明書と、
を有するマスク作成キット。
【請求項９】
請求項２に記載のマスクを作成するためのキットであって、
前記シート材と、
該シート材の折り方を記載した説明書と、
を有するマスク作成キット。
【請求項１０】
請求項３又は４に記載のマスクを作成するためのキットであって、
前記マスク体と、
前記シート材と、
該シート材の折り方を記載した説明書と、
を有するマスク作成キット。
【考案の詳細な説明】
【技術分野】
【０００１】
本考案は、着用者の顔面の一部を覆うマスク（衛生マスク）に関する。
【背景技術】
【０００２】
従来、感染症予防、花粉症対策、又は防塵等の目的で不織布製のマスクが広く用いられている。こうした不織布製のマスクとして、左右に延びるプリーツ（襞）が、上下方向に複数本並設された不織布製のフィルター部と、フィルター部の左右に取り付けられた一対の耳掛け紐とを備えた、いわゆるプリーツマスクが広く用いられている（例えば、特許文献１を参照）。このようなプリーツマスクは、着用時にプリーツを広げることによってマスク本体を立体的な形状とすることができ、マスクと着用者の顔面との間に空間を設けることができる。
【０００３】
しかしながら、上記のようなプリーツマスクは、着用者が息を吸った際に、フィルター部を構成する不織布が口元に引き寄せられて変形しやすく、前記空間を安定して維持することが困難であった。そこで、マスク内の空間を安定して保持する目的で、マスクと着用者の顔面との間に挟み込んで使用するマスク用インナーフレームが提案されている（例えば、特許文献２を参照）。
【先行技術文献】
【特許文献】
【０００４】
【特許文献１】実用新案登録第3212890号公報
【特許文献２】実用新案登録第3229909号公報
【考案の概要】
【考案が解決しようとする課題】
【０００５】
しかしながら、上記のようなインナーフレームを使用した場合、使用者の顔面に硬いインナーフレームが当たって着用感を損ねるという問題や、マスクの着脱時にインナーフレームが落下しやすいなどの問題があった。
【０００６】
本考案は上記の点に鑑みてなされたものであり、その目的とするところは、着用感を損なうことなしに、立体形状を安定的に維持することのできるマスクを提供することにある。
【課題を解決するための手段】
【０００７】
上記課題を解決するために成された本考案に係るマスクは、
a)シート材を折り曲げて成る支持体であって、
a1)上辺、下辺、左辺、及び右辺を有し、左右方向の中央に上下方向に延びる折り線を備えた口被覆部と、
a2)前記口被覆部の前記上辺から延出し、該口被覆部の背面側に折り返された第１折り返し部と、
a3)前記第１折り返し部の下端から延出し、前記口被覆部より上方に突出する正面視三角形の鼻被覆部と、
a4)前記口被覆部の前記下辺から延出し、該口被覆部の背面側に折り返された第２折り返し部と、
a5)前記第２折り返し部の上端から延出し、前記口被覆部より下方に突出する正面視三角形の顎被覆部と、
を備えるマスク本体と、
b)少なくとも前記口被覆部の背面を覆い、その一部が、前記口被覆部と前記第１折り返し部との間及び前記口被覆部と前記第２折り返し部との間に挟持されるフィルターシートと、
c)前記口被覆部の左右両側に取り付けられた一対の耳掛け紐と、
を有するものである。
【０００８】
また、上記課題を解決するために成された本考案に係るマスクは、
a)シート材を折り曲げて成る支持体であって、
a1)上辺、下辺、左辺、及び右辺を有し、左右方向の中央に上下方向に延びる折り線を備えた正面視矩形の口被覆部と、
a2)前記口被覆部の前記上辺から延出し、該口被覆部の背面側に折り返された第１折り返し部と、
a3)前記第１折り返し部の下端から延出し、前記口被覆部より上方に突出する正面視三角形の鼻被覆部と、
a4)前記口被覆部の前記下辺から延出し、該口被覆部の背面側に折り返された第２折り返し部と、
a5)前記第２折り返し部の上端から延出し、該口被覆部より下方に突出する正面視三角形の顎被覆部と、
を備えるマスク本体と、
b)前記マスク本体によって支持されるマスク体であって、
b1)正面視矩形であって、その上端部が前記口被覆部と前記第１折り返し部との間に挟持され、その下端部が前記口被覆部と前記第２折り返し部との間に挟持されるフィルター部と、
b2)前記フィルター部に取り付けられ、前記口被覆部の左右側方に突出する一対の耳掛け紐と、
を備えるマスク体と、
を有するものであってもよい。
【考案の効果】
【０００９】
上記構成を有する本考案に係るマスクによれば、マスク本体の口被覆部に設けられた上下方向に延在する折り線と、口被覆部の背面に折り返された第１の折り返し部及び第２の折り返し部の働きによって、マスク本体の立体形状を安定に維持することができる。そのため、上述のようなインナーフレームを用いなくても、マスク本体の口被覆部及び該口被覆部の背面に支持されたフィルターシート又はフィルター部が、着用者の呼吸によって口元に引き寄せられることがなく、マスクと顔との間の空間を安定して維持することが可能となる。
【図面の簡単な説明】
【００１０】
【図１】本考案の第１実施形態に係るマスクの正面図。
【図２】前記マスクの上面図。
【図３】前記マスクの背面図。
【図４】同実施形態におけるシート材の展開図。
【図５】前記マスクの作成手順を示す模式図。
【図６】前記マスクの着用状態を示す図。
【図７】前記マスクを折り畳んだ状態を示す図。
【図８】前記マスクに通気孔を設けた例を示す背面図。
【図９】通気孔を有するマスクの別の構成例におけるシート材の展開図。
【図１０】第１実施形態に係るマスクに切り込みを設けた構成例におけるシート材の展開図。
【図１１】前記構成例におけるシート材の折り方を説明する模式図。
【図１２】前記構成例におけるマスクの正面図。
【図１３】前記構成例におけるマスクの背面図。
【図１４】第１実施形態に係るマスクに切り込みを設けた別の構成例におけるシート材の展開図。
【図１５】前記別の構成例におけるシート材の折り方を説明する模式図。
【図１６】前記別の構成例におけるマスクの正面図。
【図１７】前記別の構成例におけるマスクの下面図。
【図１８】第１実施形態に係るマスクの更に別の構成例におけるシート材及びフィルターシートを示す平面図。
【図１９】本考案の第２実施形態に係るマスクの正面図。
【図２０】前記マスクの背面図。
【図２１】同実施形態におけるシート材の展開図。
【図２２】同実施形態におけるマスク本体の作成手順を示す模式図。
【図２３】本考案の第３の実施形態に係るマスク作成キットの一例を示す概略図。
【図２４】本考案の第３の実施形態に係るマスク作成キットの別の例を示す概略図。
【考案を実施するための形態】
【００１１】
（実施形態１）
本考案の第１実施形態に係るマスクについて図面を参照しつつ説明する。図１は本実施形態に係るマスクの正面図であり、図２は該マスクの上面図、図３は該マスクの背面図である。
【００１２】
本実施形態に係るマスクは、矩形のフィルターシート１２０と、フィルターシート１２０を支持するマスク本体１１０と、マスク本体１１０の左右両端に取り付けられた一対の耳掛け紐１３０とを備えている。
【００１３】
マスク本体１１０は、シート材１４０（図４参照）を折り曲げることによって立体的に形成されており、正面視で矩形の口被覆部１１１と、口被覆部１１１の上下に突出する正面視で三角形の鼻被覆部１１２及び顎被覆部１１３を備えている。なお、ここではシート材１４０として、一方の面のみに色柄（例えば、友禅染の図柄など）を備えたものを用いるものとし、図中では色柄を備えた面を網掛けで示す。
【００１４】
口被覆部１１１は、左右方向の中央に、上下に延びる折り線１１１ａを備えており、この折り線１１１ａに沿って折り曲げられることによって、上面視でＶ字型に形成されている（図２参照）。鼻被覆部１１２及び顎被覆部１１３も、それぞれ左右方向の中央に、上下に延びる折り線１１２ａ、１１３ａを備えており、これらの折り線１１２ａ、１１３ａに沿って折り曲げられることにより、略三角錐状の立体形状に構成されている。マスク本体１１０は、更に、口被覆部１１１の上端縁から延出し、口被覆部１１１の背面（着用者と対向する面）側に折り返された第１折り返し部１１４と、口被覆部１１１の下端縁から延出し、口被覆部１１１の背面側に折り返された第２折り返し部１１５と、を備えている。第１折り返し部１１４の下端縁は、逆Ｖ字型となっており、この下端縁から鼻被覆部１１２が上方に延出している。一方、第２折り返し部１１５の上端縁は、Ｖ字型となっており、この上端縁から顎被覆部１１３が下方に延出している。
【００１５】
一対の耳掛け紐１３０は、それぞれループ状に形成され、マスク本体１１０の左右両端に固定される。耳掛け紐１３０としては、例えば、ゴム紐を好適に用いることができるが、これに限らず、天然繊維、合成繊維、紙、又は革など、いかなる素材から成る紐を用いてもよい。
【００１６】
フィルターシート１２０は、口被覆部の背面に配置される通気性を備えた矩形のシート材であって、例えば、従来の一般的な衛生マスク（上述のプリーツマスク等）におけるフィルター部の素材として用いられるものと同様の不織布、又はガーゼ等の布帛等から成るものとすることができる。
【００１７】
マスク本体１１０を構成するシート材１４０としては、フィルターシート１２０よりも剛性が高い（すなわち曲げこわさが大きい）ものを使用することが望ましい。シート材１４０としては、例えば、和紙又は不織布等を好適に用いることができるが、これらに限定されるものではなく、例えば洋紙等、いかなるものを用いてもよい。
【００１８】
マスク本体１１０を構成するシート材１４０の展開図を図４に示す。同図において、破線は山折り線を示し、一点鎖線は谷折り線を示している（後述の図５、図９、図１０、図１４、図１５、図２１、図２２において同じ）。図４には、標準的な大人用のマスクを作成する場合の寸法が記載されているが、各部の寸法は、これに限定されるものではなく、着用者の顔の大きさ又は鼻の高さ等に応じて適宜変更することができる。以下では、図４中における上方を上、右方を右として、上下左右を定義する。
【００１９】
図４に示すシート材１４０において、中央の矩形の領域が口被覆部に相当する領域（以下、「口被覆部相当領域１４１」とよぶ）である。また、口被覆部相当領域１４１の上辺と図中のＶ字型の折り線との間の領域が、第１折り返し部１１４に相当する領域（以下、「第１折り返し部相当領域１４４」とよぶ）であり、該Ｖ字の折り線とその上方に位置する左右に延びる折り線との間の領域が、鼻被覆部１１２に相当する領域（以下、「鼻被覆部相当領域１４２」とよぶ）である。更に、口被覆部相当領域１４１の下辺と図中の逆Ｖ字型の折り線との間の領域が、第２折り返し部１１５に相当する領域（以下、「第２折り返し部相当領域１４５」とよぶ）であり、該逆Ｖ字型の折り線とその下方に位置する左右に延びる折り線との間の領域が、顎被覆部１１３に相当する領域（以下、「顎被覆部相当領域１４３」とよぶ）である。また、口被覆部相当領域１４１の左辺及び右辺からそれぞれ突出する矩形の領域は糊代部１４６である。なお、鼻被覆部相当領域１４２よりも上の領域は第１縁取り部１４７であり、顎被覆部相当領域１４３よりも下の領域は第２縁取り部１４８である。
【００２０】
以下、本実施形態に係るマスクの作成手順について、図５を参照しつつ説明する。以下では、シート材１４０のうち、図中において網掛けで示した面とは逆の面を裏面とよぶ。なお、以下の手順でマスクを作成する前に、予めシート材１４０を、図４中の各破線に沿って山折りすると共に、各一点鎖線に沿って谷折りすることによって、シート材１４０に折り目を付けておくことが望ましい。
【００２１】
（１）鼻被覆部相当領域１４２と第１縁取り部１４７との境界線及び顎被覆部相当領域１４３と第２縁取り部１４８との境界線（図５（ａ）中の一点鎖線）を、それぞれ谷折りする（図５（ｂ））。
（２）第１折り返し部相当領域１４４と口被覆部相当領域１４１との境界線及び第２折り返し部相当領域１４５と口被覆部相当領域１４１との境界線（図５（ｂ）中の一点鎖線）を、それぞれ谷折りする（図５（ｃ））。
（３）第１折り返し部相当領域１４４と鼻被覆部相当領域１４２との境界線（図５（ｄ）中の一点鎖線）に沿ってシート材１４０を谷折りすると共に、該境界線の頂点（図５（ｄ）中の点Ｐ）から真下に延びる折り線（図５（ｄ）中の破線）に沿ってシート材１４０を山折りすることによって、鼻被覆部相当領域１４２を立体的に折り起こす。同様にして顎被覆部相当領域１４３も立体的に折り起こす（図５（ｅ））。
（４）糊代部１４６に、両端部を結んで環状にした耳掛け紐１３０をそれぞれ載置し（図５（ｆ））、糊代部１４６を裏面側に折り曲げて糊付けすることによって、耳掛け紐１３０をマスク本体１１０に固定する。
（５）口被覆部１１１の裏面にフィルターシート１２０を配置する（図５（ｇ）） 。その際、フィルターシート１２０の上部が、第１折り返し部１１４と口被覆部１１１との間に挟持され、フィルターシート１２０の下部が、第２折り返し部１１５と口被覆部１１１との間に挟持されるようにする。
【００２２】
なお、上記では、予め適当な形状（図４参照）に切り抜いたシート材１４０を折り曲げることによってマスク本体１１０を形成するものとしたが、これに限らず、矩形のシート材を上記（１）〜（３）のような手順で折り曲げ、その後に余剰部分を切除するようにしてもよい。また、折り目を安定させるため、各折り目の際に沿って縫い目（ステッチ）を入れるようにしてもよい。
【００２３】
以上のようにして作成されたマスクは、マスク本体１１０を着用者の口元にあてがい、耳掛け紐１３０を左右の耳に掛けることによって、当該着用者の顔面に固定される（図６）。これにより、着用者の口及び鼻孔が口被覆部１１１によって被覆されると共に、鼻の上部と両側部が鼻被覆部１１２によって被覆され、顎が顎被覆部１１３によって被覆される。
【００２４】
本実施形態におけるマスクは、口被覆部１１１、鼻被覆部１１２、及び顎被覆部１１３がそれぞれ立体的な形状を有しているため、着用者の顔面にフィットして顔とマスクの間に隙間が生じるのを防ぐことができ、且つ口や鼻孔の周囲に息苦しさを緩和するための空間を確保することができる。更に、本実施形態に係るマスクでは、口被覆部１１１に設けられた上下に延びる折り線１１１ａと、口被覆部１１１の背面に折り返された第１の折り返し部１１４及び第２の折り返し部１１５の働きによって、口被覆部１１１の立体形状が安定に維持されるため、上記のような息苦しさを緩和するための空間を安定的に確保することができる。また、マスク本体１１０に収容されたフィルターシート１２０が、その上部及び下部を、第１折り返し部１１４又は第２折り返し部１１５と口被覆部１１１とによって挟持された状態となっているため、呼吸によってフィルターシート１２０が着用者の顔面に引き寄せられて口元や鼻孔を圧迫することもない。
【００２５】
また、本実施形態に係るマスクは、使用しないときには、図７に示すように、平坦に折り畳むことができる。そのため、コンパクトに保管したり、持ち運んだりすることが可能である。
【００２６】
更に、本実施形態に係るマスクは、マスク本体１１０を、上述のような色柄を有するシート材１４０によって構成することにより、ファッション性を高めることができる。また、特定の集団のメンバー又はイベントの参加者などに、同じ色柄のマスクを着用させることにより、集団やイベント等への帰属意識を高めることができる。但し、マスク本体１１０を構成するシート材１４０は、必ずしも色又は柄を有するものでなくてもよい。例えば、シート材１４０として、白色の和紙を用いることにより、神道の儀式又は茶道の茶会等にも相応しい外観のマスクを構成することができる。
【００２７】
なお、着用時の息苦しさを一層軽減するため、本実施形態に係るマスクは、図８に示すように、マスク本体１１０に通気孔１５０を備えたものとしてもよい（同図ではフィルターシート１２０の図示を省略している）。なお、図８には、口被覆部１１１に通気孔１５０を設けた例を示したが、通気孔１５０は、鼻被覆部１１２、顎被覆部１１３、第１折り返し部１１４、又は第２折り返し部１１５の、マスクの正面から目視できない位置に設けることがより望ましい。このような場合における、シート材１４０の展開図の一例を図９に示す。なお、フィルターシート１２０によって被覆されない位置に通気孔１５０を設ける場合には、フィルターシート１２０とは別に、通気孔１５０を裏打ちするための不織布又は布帛等から成るフィルターを、シート材１４０の裏面側に配置することが望ましい。
【００２８】
あるいは、上記のような通気孔１５０に代えて、マスク本体１１０に通気のための切り込みを設けるようにしてもよい。このような構成例について図１０〜図１３を参照しつつ説明する。なお、図１０〜図１３において、以上で説明した構成要素と同一又は対応する構成要素については、図１〜図９で付したものと同一の符号を付し、適宜説明を省略する。
【００２９】
図１０に示すように、この構成例においてマスク本体１１０を構成するシート材１４０には、口被覆部相当領域１４１及びその左右の糊代部１４６によって構成される矩形の領域に、該矩形の領域の左辺及び右辺から口被覆部相当領域１４１の左右方向の中央に向かって延びる、左右対称な一対の切り込み１６１が設けられている。以下、前記矩形の領域のうち、前記一対の切り込み１６１を挟んで上側の領域を上部領域１６２とよび、下側の領域を下部領域１６３とよぶ。
【００３０】
この構成例におけるマスクの作成手順は、図５で説明したものとほぼ同じであるが、耳掛け紐１３０の取り付けよりも前のいずれかの時点において、上部領域１６２の左右下端部と下部領域１６３の左右上端部とを重ね合わせて互いに固定する。具体的には、まず、図１１中の矢印で示すように、下部領域１６３の左右上端部を、上部領域１６２の左右下端部の裏面側（図１１中の網掛けで示す部分）に重ね、その後、前記矩形の領域の左右両端部（すなわち糊代部１４６）において、上部領域１６２と下部領域１６３を互いに糊付けする（すなわち、図１１において、白い星印を付した箇所の裏面と、黒い星印を付した箇所のおもて面とを糊付けする）。なお、糊付けに代えて、両面テープやステープラ等で固定するようにしてもよい。その後は、図５で説明したのと同様の手順によってマスク本体が作成すると共に、耳掛け紐１３０を取り付け、更に、口被覆部１１１の裏面側にフィルターシート１２０を保持させる。
【００３１】
このようにして作成されたマスクの正面図を図１２に、背面図を図１３に示す。なお、図１２図中の破線は下部領域１６３の左右上端縁の位置を示している。また、図１３ではフィルターシート１２０の図示を省略している。この構成例では、上記の切り込み１６１によって口被覆部１１１にスリット状の開口部（図示略）が形成されている。但し、上述のように上部領域１６２と下部領域１６３を重ね合わせたことにより、前記スリット状の開口部は、マスクの正面から見えないようになっている。なお、口被覆部１１１の裏面にはフィルターシート１２０が保持されるため、前記スリット状の開口部は、このフィルターシート１２０によって裏打ちされる。
【００３２】
なお、図１０〜図１３で示した構成に代えて、口被覆部１１１に、左右方向に延びるプリーツを形成し、そのプリーツの稜線に通気のための切込みを設けるようにしてもよい。このような構成例について、図１４〜図１７を参照しつつ説明する。なお、図１４〜図１７において、以上で説明した構成要素と同一又は対応する構成要素については、図１〜図１３で付したものと同一の符号を付し、適宜説明を省略する。
【００３３】
図１４は、この構成例におけるマスク本体１１０を構成するシート材１４０の展開図である。このシート材１４０では、口被覆部相当領域１４１が、第１折り返し部相当領域１４４に隣接する第１領域１６４と、第２折り返し部相当領域１４５に隣接する第３領域１６６と、第２領域１６４と第３領域１６６との間に位置する第２領域１６５とに分けられている。更に、第２領域１６５と第３領域１６６との境界部には、シート材１４０の左辺及び右辺から左右方向の中央に向かって延びる、左右対称な一対の切り込み１６１が形成されている。なお、図１４では、第２領域１６５と第３領域１６６との境界線が逆Ｖ字型となっているが、これに限らず、当該境界線を直線状としてもよい。また、この構成例における切り込み１６１は、図１４で示したような左右一対の切り込み線１６１に限定されるものではなく、第２領域１６５と第３領域１６６との境界線上に該境界線よりも短い切り込みが設けられていればよい。具体的には、例えば、前記境界線よりも短い一本の切り込み１６１、又は長さの合計が前記境界線よりも短い３本以上の切り込み１６１を、第２領域１６５と第３領域１６６との境界線上に設けた構成としてもよい。
【００３４】
この構成例におけるマスクの作成手順について、図１５を参照しつつ説明する。本構成例においても、予め、シート材１４０を図１４中の各破線に沿って山折りすると共に、各一点鎖線に沿って谷折りすることにより、シート材１４０に折り目を付けておくことが望ましい。なお、上述の切り込み線１６１は、シート材１４０に予め設けておいてもよく、上記のようにシート材１４０を折り曲げて各部に折り目を付けた後に、第２領域１６５と第３領域１６６との間の折り目に沿って切り込み線１６１を入れるようにしてもよい。
（１）鼻被覆部相当領域１４２と第１縁取り部１４７との境界線を谷折りする（図１５（ａ））。
（２）第１領域１６４と第２領域１６５との境界線（図１５（ａ）中の一点鎖線）を谷折りする（図１５（ｂ））。
（３）第２領域１６５と第３領域１６６との間の境界線（図１５（ｂ）中の一点鎖線）を谷折りする（図１５（ｃ））。
（４）第１折り返し部相当領域１４４と第１領域１６４との境界線及び第２折り返し部相当領域１４５と第３領域１６６との境界線（図１５（ｃ）中の一点鎖線）を、それぞれ谷折りする（図１５（ｄ））。
（５）第２折り返し部相当領域１４５と顎被覆部相当領域１４３との境界線（図１５（ｄ）中の一点鎖線）に沿ってシート材１４０を谷折りすると共に、該境界線の頂点（図１５（ｄ）中の点Ｐ）から真上に延びる折り線（図１５（ｄ）中の破線）に沿ってシート材１４０を山折りすることによって、顎被覆部相当領域１４３を立体的に折り起こす。このとき、第２折り返し部相当領域１４５の左右下側の角（図１５（ｄ）で白い星印を付した箇所）をそれぞれ図中上方に引き上げて、第２領域１６５の左右両端（図１５（ｂ）で黒い星印を付した箇所）に重ねるようにする。
（６）図５（ｄ）で説明したのと同様にして、鼻被覆部相当領域１４２を立体的に折り起こす（図１５（ｅ））。
（７）図５（ｆ）、（ｇ）で説明したのと同様にして、耳掛け紐１３０をマスク本体１１０に取り付けると共に、口被覆部１１１の裏面にフィルターシート１２０を保持させる（図１５（ｅ）、（ｆ））。
【００３５】
このようにして作成されたマスクの正面図を図１６に、下面図を図１７に示す。なお、図１６中の破線は第３領域１６６の上端縁の位置を示している。この構成例では、上記の切り込み１６１によって口被覆部１１１にスリット状の開口部１６７が形成されている。但し、この開口部１６７は、第１領域１６４と第２領域１６５の境界及び第２領域１６５と第３領域１６６の境界を上記のように折り曲げることによって形成されたプリーツの稜線のうち、マスクの背面側に位置する稜線（すなわち第２領域１６５と第３領域１６６との境界線）に切り込み１６１を設けることによって形成されているため、マスクの正面からは開口部１６７が見えないようになっている。なお、この構成例においても、スリット状の開口部１６７は、口被覆部１１１の裏面に保持されたフィルターシート１２０によって裏打ちされる。
【００３６】
なお、以上に示した例では、口被覆部１１１と略同一寸法のフィルターシート１２０を、組み立て後のマスク本体１１０に取り付けるものとしたが、これに限らず、例えば、図１８に示すように、組み立て前のシート材１４０の上に、該シート材１４０と略同一の形状及び寸法を有するフィルターシート１２０を重ね、その状態で、シート材１４０及びフィルターシート１２０を上記のような手順で折り曲げることによってマスク本体１１０を作成するようにしてもよい。この場合、マスク本体１１０の裏面側の全域がフィルターシート１２０によって覆われた状態となる。
【００３７】
なお、本実施形態に係るマスクは、フィルターシート１２０を取り付けずに（すなわちマスク本体１１０及び耳掛け紐１３０のみの状態で）使用することも可能である。
【００３８】
（実施形態２）
続いて、本考案の第２実施形態に係るマスクについて説明する。図１９は本実施形態に係るマスクの正面図であり、図２０は前記マスクの背面図である。本実施形態に係るマスクは、マスク本体２１０と、該マスク本体２１０に収容されるマスク体２２０と、を備えている。
【００３９】
マスク体２２０は、不織布又は布帛（ガーゼ等）から成る、正面視が矩形のフィルター部２２１と、フィルター部２２１の左右両端に取り付けられた一対の耳掛け紐２２２と、を備えている。マスク体２２０としては、市販の不織布製プリーツマスクのほか、市販のガーゼマスク又は手作りの布マスク等、既存の様々なマスクを用いることができる。
【００４０】
マスク本体２１０は、シート材２４０（図２１参照）を折り曲げることによって立体的に形成されており、実施形態１におけるマスクと同様の口被覆部２１１、鼻被覆部２１２、顎被覆部２１３、第１折り返し部２１４、及び第２折り返し部２１５を備えている。但し、本実施形態におけるマスク本体２１０には、実施形態１のような耳掛け紐１３０が取り付けられておらず、代わりに、第１折り返し部２１４の裏面側の左右両端下部と、第２折り返し部２１５の裏面側の左右両端上部に、それぞれループ面を備えた面ファスナーから成る第１係止具２６１が取り付けられ、更に、口被覆部２１１の裏面の、前記第１係止具２６１に対応する位置にフック面を備えた面ファスナーから成る第２係止具２６２が取り付けられている。なお、上記とは逆に、第１係止具２６１を、フック面を備えた面ファスナーから成るものとし、第２係止具２６２を、ループ面を備えた面ファスナーから成るものとしてもよい。
【００４１】
マスク本体２１０を構成するシート材２４０は、いかなるものであってもよいが、マスク体２２０のフィルター部２２１を構成する不織布又は布帛よりも剛性の高いもの（例えば、実施形態１におけるシート材１４０と同様のもの）を使用することが望ましい。
【００４２】
図２１に、マスク本体２１０を構成するシート材２４０の展開図を示す。なお、以下の説明では、図２１中における上方を上、右方を右として、上下左右を定義する。
【００４３】
このシート材２４０は、実施形態１におけるシート材１４０（図４参照）と同様に、口被覆部相当領域２４１、第１折り返し部相当領域２４４、鼻被覆部相当領域２４２、第２折り返し部相当領域２４５、及び顎被覆部相当領域２４３を備えている。但し、本実施形態におけるシート材２４０は、実施形態１のような糊代部１４６、第１縁取り部１４７、及び第２縁取り部１４８を備えず、代わりに、第１折り返し部相当領域２４４及び鼻被覆部相当領域２４２から成る矩形の領域の左辺及び右辺からそれぞれ突出する第１フラップ部２４６と、第２折り返し部相当領域２４５及び顎被覆部相当領域２４３から成る矩形の領域の左辺及び右辺からそれぞれ突出する第２フラップ部２４７と、を備えている。
【００４４】
上記のようなシート材２４０からマスク本体２１０を作成する際の手順について図２２を参照しつつ説明する。本構成例においても、予め、シート材２４０を図２１中の各破線に沿って山折りすると共に、各一点鎖線に沿って谷折りすることにより、シート材２４０に折り目を付けておくことが望ましい。
（１）第１折り返し部相当領域２４４と口被覆部相当領域２４１との境界線及び第２折り返し部相当領域２４５と口被覆部相当領域２４１との境界線（図２２（ａ）中の一点鎖線）を、それぞれ谷折りする（図２２（ｂ））
（２）第１折り返し部相当領域２４４と鼻被覆部相当領域の境界線（図２２（ｃ）中の一点鎖線）に沿ってシート材２４０を谷折りすると共に、該境界線の頂点（図２２（ｃ）中の点Ｐ）から真下に延びる折り線（図２２（ｃ）中の破線）に沿ってシート材２４０を山折りすることによって、鼻被覆部相当領域２４２を立体的に折り起こす。その後、同様にして顎被覆部相当領域２４３を立体的に折り起こす（図２２（ｄ））。
（３）第１フラップ部２４６及び第２フラップ部２４７部の表側に、第１係止具２６１を貼付する（図２２（ｄ））。その後、第１フラップ部２４６を折り返すことによって、第１フラップ部２４６を第１折り返し部相当領域２４４と口被覆部相当領域２４１との間に位置させると共に、第２フラップ部２４７を折り返すことによって、第２フラップ部２４７を第２折り返し部相当領域２４５と口被覆部相当領域２４１との間に位置させる。その後、口被覆部相当領域２４１の裏面側であって、第１係止具２６１と対向する位置に、第２係止具２６２を貼付する。
【００４５】
以上によって作成されたマスク本体２１０は、第１係止具２６１及び第２係止具２６２によって、第１折り返し部２１４の左右下端部及び第２折り返し部２１５の左右上端部を、口被覆部２１１の裏面に着脱自在に係合させることができる。そのため、第１係止具２６１と第２係止具２６２との係合を解除することによって、マスク本体２１０へのマスク体２２０の着脱を容易に行うことができる。また、第１係止具２６１と第２係止具２６２を係合させることにより、本実施形態に係るマスクの使用中、又は該マスクの着脱時に、マスク体２２０からマスク本体２１０が脱落するのを防ぐことができる。
【００４６】
なお、第１係止具２６１及び第２係止具２６２は互いに係合可能なものであればよく、上記のような面ファスナーに代えて、例えばスナップボタン等を用いることもできる。
【００４７】
また、本実施形態におけるマスク本体２１０は、実施形態１の図８、図９で示したような通気孔１５０を備えたものとしてもよい。また、本実施形態におけるマスク本体２１０は、実施形態１の図１０〜図１７で示したような通気用の切り込み１６１を備えたものとしてもよい。
【００４８】
（実施形態３）
図２３及び図２４に、本考案の第３の実施形態に係るマスク作成キット（以下、単に「キット」とよぶ）の構成例を示す。
【００４９】
図２３に示すキットは、本考案の第１実施形態に係るマスクを作成するために必要な材料と説明書を纏めたものである。このキットには、上述のマスク本体１１０を作成するためのシート材１４０と、フィルターシート１２０と、耳掛け紐１３０の素材となる紐１３１と、マスクの作成方法を記載した説明書１７０とが同梱されている。説明書１７０には、少なくともシート材１４０を折り曲げてマスク本体１１０を作成する際の手順が記載されている。
【００５０】
なお、第１実施形態に係るマスクを、フィルターシート１２０を備えないもの（すなわち、マスク本体１１０と耳掛け紐１３０のみの状態で使用されるもの）とする場合には、当該マスクを作成するためのキットは、マスク本体１１０を作成するためのシート材１４０と、耳掛け紐１３０の素材となる紐１３１と、マスクの作成方法を記載した説明書１７０とを同梱したものとすればよい。
【００５１】
図２４に示すキットは、本考案の第２実施形態に係るマスクを作成するために必要な材料と説明書を纏めたものである。このキットには、上述のマスク本体２１０を作成するためのシート材２４０と、マスク体２２０と、マスクの作成方法を記載した説明書２７０とが同梱されている。説明書２７０には、少なくともシート材２４０を折り曲げてマスク本体２１０を作成する際の手順が記載されている。
【００５２】
なお、これらのキットにおいて、シート材１４０、２４０には、予め図４、図９、図１０、図１４、又は図２１に示すような折り線を印刷しておいてもよい。また、シート材１４０、２４０には予め上述のような通気孔１５０を形成しておいてもよく、上述のような切り込み１６１を入れておいたり、切り込み１６１の位置を示す線を印刷しておいたりしてもよい。
【００５３】
このようなキットは、店頭や通信販売で販売するほか、マスク作成の講習会（ワークショップ）等において参加者に配布するようにしてもよい。例えば、日本の伝統的な図柄を配した和紙を、上述のシート材１４０、２４０としてキットに同梱し、外国人観光客向けのワークショップ等で配布することにより、外国人観光客に日本文化の魅力を発信することができる。
【００５４】
以上、本考案を実施するための形態について具体例を挙げて説明を行ったが、本考案に係るマスク及びマスク作成キットは上記の例に限定されるものではなく、本考案の趣旨の範囲で適宜変更が許容される。例えば、上記の例では、図１〜図１３のマスクには、第１縁取り部１４７及び第２縁取り部１４８を設け、図１４〜図１７のマスクには第１縁取り部１４７のみを設け、図１９〜図２２のマスクには、これらの縁取り部１４７、１４８を設けないものとしたが、本考案に係るマスクには、このような縁取り部１４７、１４８を設けても設けなくてもよい。
【００５５】
また、実施形態１、２におけるマスク本体１１０、２１０を構成するシート材１４０、２４０は、一枚のシート材から成るものであってもよく、複数枚のシート材を継ぎ合わせたものであってもよい。複数枚のシート材を継ぎ合わせることにより、多彩なデザインのマスクを作成できると共に、シート材の消費量を抑えることができる。
【符号の説明】
【００５６】
１１０…マスク本体
１１１…口被覆部
１１１ａ…折り線
１１２…鼻被覆部
１１３…顎被覆部
１１４…第１折り返し部
１１５…第２折り返し部
１２０…フィルターシート
１３０…耳掛け紐
１４０…シート材
【図１】
0003233659.tif 000003
【図２】
0003233659.tif 000004
【図３】
0003233659.tif 000005
【図４】
0003233659.tif 000006
【図５】
0003233659.tif 000007
【図６】
0003233659.tif 000008
【図７】
0003233659.tif 000009
【図８】
0003233659.tif 000010
【図９】
0003233659.tif 000011
【図１０】
0003233659.tif 000012
【図１１】
0003233659.tif 000013
【図１２】
0003233659.tif 000014
【図１３】
0003233659.tif 000015
【図１４】
0003233659.tif 000016
【図１５】
0003233659.tif 000017
【図１６】
0003233659.tif 000018
【図１７】
0003233659.tif 000019
【図１８】
0003233659.tif 000020
【図１９】
0003233659.tif 000021
【図２０】
0003233659.tif 000022
【図２１】
0003233659.tif 000023
【図２２】
0003233659.tif 000024
【図２３】
0003233659.tif 000025
【図２４】
0003233659.tif 000026